(57)【要約】【課題】  水着を着用した際に、ワンポイントの各種のアクセサリーでお洒落やコーディネートを楽しめるようにするとともに、錆びの問題や、紛失してしまいやすいという問題を防ぐことが可能な装飾具を提供すること。【解決手段】  水着に取り付けるための装飾具であって、水着のいずれかの箇所に着脱自在に取り付けるための固着部と、前記固着部に連結され装飾部材が施された少なくとも一つ以上の装飾部が設けられる。前記固着部と、前記装飾部とは耐水性に優れた素材から構成され、前記固着部は少なくとも２本の紐状部材から構成され、紐状部材同士を結ぶことにより水着に取り付け可能にされている。【選択図】  図１
0003104726.tif 000002
【実用新案登録請求の範囲】
【請求項１】
水着に取り付けるための装飾具であって、
水着のいずれかの箇所に着脱自在に取り付けるための固着部と、
前記固着部に連結され装飾部材が施された少なくとも一つ以上の装飾部が設けられ、
前記固着部と、前記装飾部とは耐水性に優れた素材から構成され、
前記固着部は少なくとも２本の紐状部材から構成され、紐状部材同士を結ぶことにより水着に取り付け可能にされたことを特徴とする装飾具。
【請求項２】
水着に取り付けるための装飾具であって、
水着のいずれかの箇所に着脱自在に取り付けるための固着部と、
前記固着部に連結され装飾部材が施された少なくとも一つ以上の装飾部が設けられ、
前記固着部と、前記装飾部とは耐水性に優れた素材から構成され、
前記固着部には少なくとも一対の固着部材が設けられ、一対の固着部材同士を固着させることにより水着に取り付け可能にされたことを特徴とする装飾具。
【請求項３】
前記固着部の一部または全部には、装飾部材がさらに設けられたことを特徴とする、請求項１または２のいずれかに記載の装飾具。
【請求項４】
前記固着部材は、ボタン、ホック、スナップ、ファスナー、面ファスナー、留め金具、バックルの内のいずれかであることを特徴とする、請求項１〜３のいずれかに記載の装飾具。
【請求項５】
前記紐状部材は、伸縮性を備えた布、紐、糸のいずれかからなることを特徴とする、請求項１〜４のいずれかに記載の装飾具。
【請求項６】
前記装飾部材は、布、紐、樹脂、金属、石、宝石、木、花、草、綿、ビーズ、ガラスの内の少なくともいずれかを含み構成されたことを特徴とする、請求項１〜５のいずれかに記載の装飾具。
【請求項７】
前記装飾部材の一部または全部を着脱することにより交換可能にされたことを特徴とする、請求項１〜５のいずれかに記載の装飾具。
【請求項８】
請求項１〜７のいずれかに記載の装飾具と、少なくともその一部において前記装飾具と同一素材により構成された水着の組合せからなることを特徴とする装飾具セット。
【考案の詳細な説明】
【技術分野】
【０００１】
本考案は、水着に取り付けるための装飾具および装飾具セットに関する。
【背景技術】
【０００２】
従来より、ワンピース型、セパレーツ型などの各種の水着が販売、着用されており、毎年の流行や傾向などにより各種のものが愛用されている。
ところで、日常の衣服であれば毎日違うものを着用したり、各種のアクセサリーでお洒落やコーディネートを楽しめるが、水着はシーズンごとに買い替えたとしても、毎回違う水着を着用するほどに何着も購入するものではない。
【考案の開示】
【考案が解決しようとする課題】
【０００３】
しかしながら、この場合でも、各種のアクセサリーでお洒落やコーディネートを楽しめるようになれば愛用する人は多いと思われるが、通常のアクセサリーなどでは錆びの問題や、紛失してしまいやすいという問題があり、利用することはできない。
【０００４】
【特許文献１】特開平９−３１７２５号公報
【０００５】
このため、特開平９−３１７２５「装飾片が着脱自在な水着等の衣服」においては、水着又はリゾートウェア等の衣服において、基本体部分は少ない種類であっても、それに着脱自在な立体柄の装飾片を複数用意しておくことで、バリエーションに富んだ組み合わせを選択可能にし、ファッションを楽しむことができる衣服が提案されている。
水着等の布地本体の表面に着脱自在に装着される装飾片が複数種類用意され、その内の任意の装飾片が装着されるものである。
しかしながら、上記の装飾片は、水着の表面に多数の装飾片を付けることにより表面の色彩や模様を構成するものであり、多数の装飾片を取り付ける手間がたいへんである。また一度取り付けたら、はずす場合にも多数の装飾片をはずさなければならず、気軽につけたりはずしたりするものではない。また、水着全体の色彩や模様をつけることを目的としており、ワンポイントのちょっとしたアクセサリーではない。
【０００６】
【特許文献２】特開平１１−２９９５０６号公報
【０００７】
特開平１１−２９９５０６「装身用芳香安全ピン」においては、一本針に留め具を組み合わせた装身用安全ピンに、芳香穴付き香料容器を設けた芳香機能付き安全ピンが提案されている。
しかしながら、上記発明は、日常のアクセサリーであって、錆びの問題や、紛失してしまいやすいという問題があり、利用することはできない。
また、水泳をする場合には安全ピンがはずれるという危険があり、利用することはできない。
【０００８】
そこで本考案においては、上記様々な課題を解決し、水着を着用した際に、ワンポイントの各種のアクセサリーでお洒落やコーディネートを楽しめるようにするとともに、錆びの問題や、紛失してしまいやすいという問題を防ぐことが可能な装飾具を提供することを目的とする。
【課題を解決するための手段】
【０００９】
上記課題を解決するため、請求項１に記載の考案においては、
水着に取り付けるための装飾具であって、
水着のいずれかの箇所に着脱自在に取り付けるための固着部と、
前記固着部に連結され装飾部材が施された少なくとも一つ以上の装飾部が設けられ、
前記固着部と、前記装飾部とは耐水性に優れた素材から構成され、
前記固着部は少なくとも２本の紐状部材から構成され、紐状部材同士を結ぶことにより水着に取り付け可能にされた装飾具であることを特徴としている。
【００１０】
また、上記課題を解決するため、請求項２に記載の考案においては、
水着に取り付けるための装飾具であって、
水着のいずれかの箇所に着脱自在に取り付けるための固着部と、
前記固着部に連結され装飾部材が施された少なくとも一つ以上の装飾部が設けられ、
前記固着部と、前記装飾部とは耐水性に優れた素材から構成され、
前記固着部には少なくとも一対の固着部材が設けられ、一対の固着部材同士を固着させることにより水着に取り付け可能にされた装飾具であることを特徴としている。
【００１１】
また、上記課題を解決するため、請求項３に記載の考案においては、
前記固着部の一部または全部には、装飾部材がさらに設けられた、請求項１または２のいずれかに記載の装飾具であることを特徴としている。
【００１２】
また、上記課題を解決するため、請求項４に記載の考案においては、
前記固着部材は、ボタン、ホック、スナップ、ファスナー、面ファスナー、留め金具、バックルの内のいずれかである、請求項１〜３のいずれかに記載の装飾具であることを特徴としている。
【００１３】
また、上記課題を解決するため、請求項５に記載の考案においては、
前記紐状部材は、伸縮性を備えた布、紐、糸のいずれかからなる、請求項１〜４のいずれかに記載の装飾具であることを特徴としている。
【００１４】
また、上記課題を解決するため、請求項６に記載の考案においては、
前記装飾部材は、布、紐、樹脂、金属、石、宝石、木、花、草、綿、ビーズ、ガラスの内の少なくともいずれかを含み構成された、請求項１〜５のいずれかに記載の装飾具であることを特徴としている。
【００１５】
また、上記課題を解決するため、請求項７に記載の考案においては、
前記装飾部材の一部または全部を着脱することにより交換可能にされた、請求項１〜５のいずれかに記載の装飾具であることを特徴としている。
【００１６】
また、上記課題を解決するため、請求項８に記載の考案においては、
請求項１〜７のいずれかに記載の装飾具と、少なくともその一部において前記装飾具と同一素材により構成された水着の組合せからなる装飾具セットであることを特徴としている。
【考案の効果】
【００１７】
本考案によれば、水着を着用した際に、ワンポイントの各種のアクセサリーでお洒落やコーディネートを楽しめるようにするとともに、錆びの問題や、紛失してしまいやすいという問題を防ぐことが可能な装飾具を提供することができる。
【考案を実施するための最良の形態】
【００１８】
以下、本考案の実施の形態について図面を参照して説明する。
本発明は、水着に取り付けるための装飾具である。
図１から図８は、本考案の様々な実施形態の一例を示す図である。
各図において、符号１は固着部、符号２は装飾部を示している。また符号１０ａ、１０ｂはそれぞれ紐状部材を、符号１１ａ、１１ｂはそれぞれ固着部材を、符号１５、２５はそれぞれ装飾部材を示している。
【００１９】
初めに、本考案の装飾具は、水着のいずれかの箇所に着脱自在に取り付けるための固着部１を備えている。
図１は、本考案の装飾具の構成の一例を装飾部材の正面から見た正面図である。また図２は、図１に示される装飾具を背面から見た背面図である。
固着部１は、本考案の装飾具を水着のいずれかの箇所に取り付けるためのものである。
【００２０】
固着部１の素材としては、布、軟質樹脂、ゴム、金属製の線や鎖、その他の各種素材を用いることができる。固着部１の装飾具の好ましい形態の一例は、装飾具が水着用であるために、固着部１は耐水性に優れた素材から構成されているものである。たとえばポリエステル、ポリウレタンなど、あるいはこれらの混合の合成樹脂繊維からなる布素材などである。
【００２１】
固着部１として、図１においては２本の紐状の固着部１が設けられている。紐状部材１０ａ、１０ｂは、伸縮性を備えた布、紐、糸のいずれかからなることが好ましい。
【００２２】
固着部１は少なくとも２本の紐状部材１０ａ、１０ｂから構成され、紐状部材１０ａ、１０ｂ同士を結ぶことにより水着に取り付け可能にされている。
紐状部材１０ａ、１０ｂ同士を結ぶことにより、ワンピース、セパレーツそれぞれのタイプの各種水着に取り付けることができる。たとえば肩紐部分や胸部分などに取り付けることができる。
【００２３】
図１および図２を参照すると、固着部１の一部または全部には、装飾部材１５がさらに設けられている。装飾部材１５としては、各種の素材、形状からなるものを採用することができる。好ましい一例は、布、紐、樹脂、金属、石、宝石、木、花、草、綿、ビーズ、ガラスの内の少なくともいずれかを含み構成されているものである。
【００２４】
図３は、本考案の装飾具の別の形態の一例を示している。
図３は、本考案の装飾具の構成の一例を装飾部材の正面から見た正面図である。固着部１は少なくとも２本の紐状部材１０ａ、１０ｂから構成され、紐状部材１０ａ、１０ｂそれぞれの先端に装飾部材１５が固着されている。
また、装飾部材１５の一部または全部を着脱することにより交換可能にされていてもよい。
【００２５】
次に本発明の装飾具は、固着部１に連結され装飾部材２５が施された少なくとも一つ以上の装飾部２が設けられている。
装飾部２の素材としては、布、軟質樹脂、ゴム、金属製の線や鎖、その他の各種素材を用いることができる。装飾部２の装飾具の好ましい形態の一例は、装飾具が水着用であるために、耐水性に優れた素材から構成されているものである。たとえばポリエステル、ポリウレタンなど、あるいはこれらの混合の合成樹脂繊維からなる布素材などである。
【００２６】
装飾部２は、その全体が装飾となる形状、色彩、模様を構成するようにしてもよい。また、装飾部２に、布、紐、樹脂、金属、石、宝石、木、花、草、綿、ビーズ、ガラスの内の少なくともいずれかを含み構成された各種の装飾部材２５が取り付けられたようにしてもよい。
装飾部材２５の一部または全部を着脱することにより交換可能にされていてもよい。
【００２７】
次に、図４から図８を参照して、本考案の装飾具の別の様々な形態の一例について説明する。
本考案の別の形態の例は、固着部１には少なくとも一対の固着部材１１ａ、１１ｂが設けられ、一対の固着部材１１ａ、１１ｂ同士を固着させることにより水着に取り付け可能にされているものである。
固着部材１１ａ、１１ｂは、ボタン、ホック、スナップ、ファスナー、面ファスナー、留め金具、バックルの内のいずれかである。
図４においては、固着部材１１ａ、１１ｂとして、ホック、スナップ等が利用された一例を示している。その他の構成はこれまでに説明した形態と共通する。
【００２８】
また、図５、図６、および図７は、固着部材１１ａ、１１ｂとして、面ファスナー等が利用された一例を示している。その他の構成はこれまでに説明した形態と共通する。図５は装飾具の正面図であり、図６は背面図である。また、図７は、面ファスナー等の固着部材１１ａ、１１ｂ同士が固着された状態を上方向から見た平面図である。
また、図８は、固着部材１１ａ、１１ｂとして、鎖と、固着部材１１ａ、１１ｂ同士を止める留め具等が利用された一例を示す背面図である。
【００２９】
次に、本考案の装飾具は、水着とセットにすることができる。
請求項１〜７のいずれかに記載の装飾具と、少なくともその一部において前記装飾具と同一素材により構成された水着の組合せからなる装飾具セットである。
セットにする場合には、装飾具は一つであってもよいが、複数の装飾具をセットにして取替えができるようにすることも好ましい。
このようにすれば、他の通常の水着との差別化もでき、装飾具を取り替えて楽しむこともできる。
【産業上の利用可能性】
【００３０】
以上詳細に説明したように、本考案によれば、水着を着用した際に、ワンポイントの各種のアクセサリーでお洒落やコーディネートを楽しめるようにするとともに、錆びの問題や、紛失してしまいやすいという問題を防ぐことが可能な装飾具を提供することができる。
【図面の簡単な説明】
【００３１】
【図１】本考案の装飾具の構成の一例を装飾部材の正面から見た正面図である。
【図２】図１に示される装飾具を背面から見た背面図である。
【図３】本考案の装飾具の構成の一例を装飾部材の正面から見た正面図である。
【図４】固着部材１１ａ、１１ｂとして、ホック、スナップ等が利用された一例を示す図である。
【図５】固着部材１１ａ、１１ｂとして、面ファスナー等が利用された一例を示す図である。
【図６】固着部材１１ａ、１１ｂとして、面ファスナー等が利用された一例を示す図である。
【図７】固着部材１１ａ、１１ｂとして、面ファスナー等が利用された一例を示す図である。
【図８】固着部材１１ａ、１１ｂとして、鎖と、固着部材１１ａ、１１ｂ同士を止める留め具等が利用された一例を示す背面図である。
【図１】
0003104726.tif 000003
【図２】
0003104726.tif 000004
【図３】
0003104726.tif 000005
【図４】
0003104726.tif 000006
【図５】
0003104726.tif 000007
【図６】
0003104726.tif 000008
【図７】
0003104726.tif 000009
【図８】
0003104726.tif 000010